(57)【要約】【課題】マンション等のバルコニー及び、開放廊下等の落下防止手摺から、子供が誤って乗り越えて、転落する事故を防ぐ対策。【解決手段】マンション等のバルコニー及び、開放廊下等の手摺本体１７上段に設ける手摺棒及び、開放廊下手摺本体１７面に福祉用として設ける手摺棒において、建物躯体等に支持された手摺棒支持部材２に固設された手摺棒受部材３に対して、手摺棒１が手摺棒芯６を中心に回転可能になるように手摺棒１の端部を挿設する構造である。また、手摺棒受部材３と手摺棒１端部の摺接部に、その回転方向を手摺内側にのみ回転可能な構造となるように、それぞれの摺接部面にストッパー及びストッパー受部を有する構成であることを特徴とする。【選択図】図２
2010248771.tif 000002
【特許請求の範囲】
【請求項１】
建物躯体等に支持された手摺棒支持部材に固設された手摺棒受部材に対して、手摺棒の端部を、手摺棒芯を中心に回転可能になるように挿設した乗越え防止手摺棒。
【請求項２】
手摺棒受部材に挿設した手摺棒端挿設部と手摺棒受部材のそれぞれの回転摺接部面の一部に対して、一方にストッパーを固設し、もう一方の面にストッパーと係合して一方向の回転が不能になるような適切な位置、形状にストッパー受部を形設した請求項１に記載の乗越え防止手摺棒。
【請求項３】
手摺棒端挿設部と手摺棒受部材のそれぞれの回転摺接部の間に、手摺棒の回転滑動が滑らかになる適切な位置に、ボールベアリングを周設した請求項１乃至請求項２に記載の乗越え防止手摺棒。
【発明の詳細な説明】
【技術分野】
【０００１】
本発明は、マンション等のバルコニー及び、開放廊下等において、子供が手摺を乗り越えて外部へ転落する事故の防止対策を講じた、乗越え防止手摺棒に関するものである。
【背景技術】
【０００２】
近年、共同住宅の高層化が進み、３階建ての戸建住宅が増え、それに伴い幼児や児童のいたましい転落事故が増えている。その主な原因は、マンション等の開放廊下やバルコニーの手摺から誤って転落するケースがほとんどである。
【０００３】
しかし、住宅のバルコニー及び、開放廊下は通常、採光、換気、防災面において、法律上も居住性からも十分な開放性が必要となるため、手摺の高さは法律で規定されている最低高さ1.1ｍを多少超える程度の手摺を設けられているのが一般的である。
【０００４】
このように、開放性と子供の転落事故防止とは物理的に相反する事柄であるため、これまで決定的な解決策がなく、転落事故を防ぐためには、啓蒙による注意喚起を促すこと以外に方法がなかった。
【０００５】
下記特許文献のように、転落防止策としての考案はいくつかあることにはあるが、通常の格子状手摺の格子組部分が子供の足掛りにならないように配慮をした手摺の考案であり、手摺の安全性能としての一般的基本条件を満足したにすぎず、それ以上の対策にはなってない。
【０００６】
あるいは、転落しないように手摺の上部空間を転落防止板等で塞ぐ考案がなされているが、これは、法律上の採光、換気及び、防災要件による開放性を必要としない部分のみに設置可能であり、一般的なマンションでは限定的にしか使用できないという問題がある。
【０００７】
また、マンション等のバルコニーには、居住に伴い、エアコンの室外機等、様々な物が置かれるようになり、それを足掛りに背丈の小さい幼児でも手摺をよじ登れてしまい、結果、転落事故につながってしまう。これは建築計画の側面では現在対処しようのない問題点である。
【０００８】
さらに、マンション等の開放廊下においては、福祉関係の法律により、手摺壁の内側に高さ75センチメートル程度の手摺を設ける事が義務づけられている。この福祉の配慮から設けられた手摺が皮肉にも足掛りとなり、小学生ぐらいの児童の転落事故の原因の一つになっているのである。
【先行技術文献】
【特許文献】
【０００９】
【特許文献１】特開平７−１８８１０号公報
【特許文献２】特開平７−１８８０９号公報
【特許文献３】特開平５−２３０８６８号公報
【特許文献４】特開２００３−３１３９４０号公報
【特許文献５】登録実用新案第３０８３４２９号公報
【発明の概要】
【発明が解決しようとする課題】
【００１０】
解決しようとする問題点は、マンション等のバルコニー及び、開放廊下において、法律及び、機能上必要な開放性を維持し、尚且つ、子供が手摺を誤って乗り越えて転落してしまう事故の防止対策を、建築的側面にて行う点である。
【課題を解決するための手段】
【００１１】
本発明は、マンション等のバルコニー及び、開放廊下の手摺本体１７上段に設ける手摺棒及び、開放廊下手摺本体１７面に福祉用として設ける手摺棒において、建物躯体等に支持された手摺棒支持部材２に固設された手摺棒受部材３に対して、手摺棒１が手摺棒芯６を中心に回転可能に、手摺棒１の端部を挿設する構造とする。
【００１２】
さらに、手摺棒受部材３と手摺棒１端部の摺接部に、その回転方向を手摺内側方向にのみ回転可能な構造となるように、ストッパー４及びストッパー受部５を設ける。
【００１３】
また、手摺棒１の回転をより滑らかにするために、手摺棒１と手摺棒受部材３の摺接部にボールベアリング７を周設する。以上の構成であることを最も主要な特徴とする手摺棒である。
【発明の効果】
【００１４】
本発明の手摺棒は手摺棒芯６を中心に回転方向１０の方向にのみ回転可能なとしたものであり、マンション等のバルコニーにおいて、幼児等１５が何らかの足掛り物２０に乗り、手摺棒１を手掛りにして手摺から身を乗り出そうと手や肘に力を入れると、力の作用で手摺棒１が回転方向１０方向に回転する。それにより、手が矢印１１方向に滑り落ち、手掛りを失い半身を乗り出せず、誤って転落することを防止する効果がある。
【００１５】
また、マンション等の開放廊下に設けた福祉用手摺棒においては、小学生くらいの児童等１６がちょうど足掛りにできる程度の高さに設置されているため、児童等１６がふざけて手摺棒1を足掛りにして手摺本体１７に登ろうとした際に、上記同様に、足を踏ん張ると手摺棒１が回転方向１０の方向に回転し、矢印１４方向に足が滑り落ちるため、足掛りにならない、同時に、手掛りとした場合にも矢印１３方向に滑り落ち、手掛りにならない。さらに、手摺本体１７上段に設けた手摺棒1も上記バルコニーの場合と同様に、矢印１２方向に手が滑り落ちるため、手掛りとならず手摺本体１７に登れないので、誤って転落することを防げる効果がある。
【００１６】
また、福祉用手摺棒の本来用途に回転が及ぼす影響については、手摺棒を握って体重を支えるように使用するため、力の方向が外側または、鉛直方向に向くため、本来の使用目的に支障をきたすものではない。
【図面の簡単な説明】
【００１７】
【図１】図１は本発明をバルコニーにおいて実施した場合の一形態を示す斜視図及び、その効果の説明図である。
【図２】図２は本発明を開放廊下において実施した場合の一形態を示す斜視図及び、その効果の説明図である。
【図３】図３は本発明の手摺棒構造の一実施方法を示した回転軸を含む回転軸方向の切断面図である。
【図４】図４はＡ―Ａ断面図である。
【図５】図５はＢ―Ｂ断面図である。
【図６】図６は本発明の手摺棒構造の他の実施方法を示した回転軸を含む回転軸方向の切断面図である。（実施例１）
【図７】図７はＣ―Ｃ断面図である。（実施例１）
【図８】図８はＤ―Ｄ断面図である。（実施例１）
【図９】図９は本発明を侵入防止目的の塀において実施した場合の一形態を示す斜視図である。（実施例２）
【発明を実施するための形態】
【００１８】
以下図面を参照して、本発明を実施するための一形態について説明する。マンション等のバルコニー及び、開放廊下に設ける落下防止手摺本体１７の上段に設ける手摺棒、あるいは、開放廊下に設ける落下防止手摺本体１７の腰部に設ける福祉用手摺棒において、建物躯体等に支持された手摺棒支持部材２に固設された手摺棒受部材３に対して、手摺棒１と一体的構造をなし適当な隙間を持たせながら適当な長さを挿設可能な形状の手摺棒円筒端部８を、手摺棒芯６を中心に回転可能に挿設する。
【００１９】
なお、手摺棒受部材３と挿設される手摺棒円筒端部８の回転摺接部には、回転時に手摺棒受部材３の摺接部に接動可能に一方に傾斜した板バネ状のストッパー４を固設する。さらに、手摺棒芯６を中心に一方回転のみを可能となるように手摺棒受部材３のストッパー４と相対する面に、ストッパー４が係合可能な欠込み状のストッパー受部５を形設する。
【００２０】
この場合、ストッパー受部５は凸状のものでもよい。また、ストッパー４の箇所数は１箇所以上設ければ効果は得られるが強度面、安全性から数か所が望ましい、ストッパー受部５の箇所数はストッパー４の箇所数に関わらず、より多く設けることにより、逆回転の遊びが少なくなる。
【００２１】
さらに、手摺棒円筒端部８及び、手摺棒受部材３の回転摺接部の間にボールベアリング７を適切な位置に周設する事により、回転滑動がより滑らかになり、より確実な効果が期待できる。
【００２２】
本発明の手摺棒は以上のように構成され、手摺棒１が回転した際に、ストッパー４とストッパー受部５の働きにより一方回転のみが可能となるので、バルコニー及び、開放廊下等に設置する際には、内側方向に回転するように配置して取り付けることで本発明の効果が得られる。
【００２３】
さらに、本発明の手摺棒１が回転する際に、ストッパー４の板バネがはじける音が出るため、幼児が手摺に手を掛け危険な状況であることを警告する警告音としての効果も少なからず期待できる。
【００２４】
また、本発明の手摺棒は格子状手摺やガラス手摺の最上段に設けた場合も同様の効果が得られる。あるいは、腰窓に設ける落下防止手摺とすることでも転落防止の対策となる。
【００２５】
本発明の効果が期待できる設置場所は、マンション以外にも、学校、公園、遊園地、動物園、橋等、子供が活動するあらゆる場所が対象であり、そのような場所に設置される落下防止手摺に本発明の手摺棒を付設することにより、子供の転落事故防止対策として大いに役に立つ。
【実施例１】
【００２６】
図６は、本発明の手摺棒構造の他の実施方法を示した回転軸方向切断面図であって、上記実施例との構造の違いは、手摺棒受部材３に対して、手摺棒１の端部挿設部が凸状に形成された手摺棒端回転軸部９としたものであり、基本の構成要素は同じである。この実施例の特徴は、各部材に厚みを持たせて強度を増すことにより、手摺支持部材２の間隔が大きい場合や、手摺棒１に比重の重い金属を使用した場合等、強度を特に必要とする場合に対応可能とする点である。
【実施例２】
【００２７】
図９は本発明を侵入防止目的の塀等において実施した一形態を示す斜視図であり、侵入防止目的の塀２１や門扉の上段に本発明の手摺棒を設置した場合、手摺棒１の回転を利用し、塀を乗り越えようとする侵入者の侵入防止の用途として、本発明の手摺棒を使用する場合のものである。
【００２８】
この場合、上記実施例記載のストッパー４とストッパー受部５を構成要素から除くことにより回転方向２２のように回転自在となり、乗り越えようとした場合に、手掛り、足掛りとしての不安定度が増し侵入防止効果はより高まる。このような効果があるので、住宅以外にも、学校、危険施設、重要公共施設等の塀に本発明の手摺棒を設置すれば、侵入防止対策としても大いに役に立つ。
【産業上の利用可能性】
【００２９】
手摺支持部材の連結部分を工夫すれば既存の手摺棒の上段に設置可能であり、その場合既存手摺を撤去する必要がないので、廃棄物を出さずに設置できる可能性はある。
【符号の説明】
【００３０】
１    手摺棒
２    手摺支持部材
３    手摺棒受部材
４    ストッパー
５    ストッパー受部
６    手摺棒芯
７    ボールベアリング
８    手摺棒円筒端部
９    手摺棒端回転軸部
１０    回転方向
１１〜１４    矢印
１５    幼児等
１６    児童等
１７    手摺本体
１８    バルコニー
１９    開放廊下
２０    足掛り物
２１    侵入防止目的の塀
２２    回転方向
【図１】
2010248771.tif 000003
【図２】
2010248771.tif 000004
【図３】
2010248771.tif 000005
【図４】
2010248771.tif 000006
【図５】
2010248771.tif 000007
【図６】
2010248771.tif 000008
【図７】
2010248771.tif 000009
【図８】
2010248771.tif 000010
【図９】
2010248771.tif 000011